(57)【特許請求の範囲】
【請求項１】
ジョー支持体において、
ジョーハウジングと、
前記ジョーハウジングによって収容される少なくとも１つのボルト、前記ボルトに取り付けられるスプリング、前記スプリングに取り付けられ前記ジョーハウジングによって収容されるシールであって、動作中、前記シールが前記スプリングを圧縮し、前記シールが前記ジョーハウジングに向かって移動する、前記シールと、
前記ジョーハウジング内のホルダ内に位置される圧縮要素と、
を有する、ジョー支持体。
【請求項２】
前記圧縮要素は、バックアップゴムである、請求項１に記載のジョー支持体。
【請求項３】
前記バックアップゴムは、尖端側面を伴うクラウン形状を有する、請求項２に記載のジョー支持体。
【請求項４】
前記ジョーハウジングによって収容される一連の２つ以上の上側ボルトであって、
それぞれの前記ボルトにスプリングが取り付けられ、シールが、それぞれの前記スプリングに取り付けられて前記ジョーハウジングによって収容され、動作中、各シールはそれぞれのスプリングを圧縮し、それぞれのシールが前記ジョーハウジングに向かって移動する、一連の２つ以上の上側ボルトと、
前記ジョーハウジングに取り付けられて前記ジョーハウジング内の前記ホルダ内に位置される一連の中央のバックアップゴムと、
前記ジョーハウジングによって収容される一連の２つ以上の下側ボルトであって、それぞれの前記ボルトにスプリングが取り付けられ、シールが、それぞれの前記スプリングに取り付けられて前記ジョーハウジングによって収容され、動作中、各シールはそれぞれのスプリングを圧縮し、それぞれのシールが前記ジョーハウジングに向かって移動する、一連の２つ以上の下側ボルトと、
を有する、請求項１に記載のジョー支持体。
【請求項５】
前記バックアップゴムは、尖端側面を伴うクラウン形状を有する、請求項４に記載のジョー支持体。
【請求項６】
ｉ）請求項２に記載の第１のジョー支持体と、
ｉｉ）第２のジョーハウジング及び前記第２のジョーハウジングに取り付けられた加熱要素を有する第２のジョー支持体と、
を有する、密封ジョー。
【請求項７】
前記バックアップゴムは、尖端側面を伴うクラウン形状を有する、請求項６に記載の密封ジョー。
【請求項８】
フィルムを密封する方法であって、
密封ジョーを準備するステップであって、前記密封ジョーは、
ｉ）第１のジョーハウジング、前記ジョーハウジングに収容される少なくとも１つのボルト、前記ボルトに取り付けられるスプリング、前記スプリングに取り付けられて前記第１のジョーハウジングによって収容されるシールであって、動作中、前記シールは前記スプリングを圧縮し、前記シールが前記第１のジョーハウジングに向かって移動する、前記シール、前記第１のジョーハウジングに取り付けられ、前記第１のジョーハウジング内の前記ホルダに位置される、バックアップゴムを有する、第１のジョー支持体と、
ｉｉ）第２のジョーハウジング、前記第２のジョーハウジングに取り付けられる加熱要素を有する第２のジョー支持体と、
を有する、前記ステップと、
前記第１のジョー支持体と前記第２のジョー支持体との間に少なくとも２つのフィルムを挿入するステップと、
前記第１のジョー支持体を前記第２のジョー支持体に押し付けて、前記２つのフィルム間にシールを形成するステップと、
を含む、方法。
【請求項９】
前記２つのフィルムを互いに溶着するために前記第２ジョー支持体が、前記加熱要素によって十分に加熱される、請求項８に記載の方法。
【請求項１０】
前記バックアップゴムが、尖端側面を伴うクラウン形状を有する、請求項８に記載の方法。
【発明の詳細な説明】
【技術分野】
【０００１】
[0001]本開示は製袋充填機に関する。より具体的には、本開示は製袋充填機の改良に関する。
【背景技術】
【０００２】
[0002]製袋充填機は包装産業において一般に知られている。製袋充填機は、一般に、容器を形成し、食品または医療品などの適切な製品を充填し、密封する別個の工程を行なう多数の構成要素から成る。一般に、製袋充填機は、フィルムのロールを柔軟な容器に変形させる。製袋充填機は、柔軟な容器に食品や医療品を充填して容器を密封する。また、製袋充填機は、附属類（ｆｉｔｍｅｎｔ）を柔軟な容器に取り付けることができる。
【発明の概要】
【発明が解決しようとする課題】
【０００３】
それにもかかわらず、従来の製袋充填機は、不安定で、容易に摩耗して修理のための中断時間を増大させ、および／または、速度、効率、もしくは、エネルギ使用に関して最適でない多くの構成要素を含む。
【課題を解決するための手段】
【０００４】
[0003]本開示は、製袋充填機、および、製袋充填機を構成する個々の構成要素に関する。一般的な実施形態において、本開示は、附属類取り付けステーションと、附属類取り付け装置と、附属類加熱アセンブリと、容器を形成し、附属類を移送して容器に取り付けるように構成されて配置される密封ジョーとを提供する。
【０００５】
[0004]一実施形態において、本開示は、ジョーハウジングを備えるジョー支持体を提供する。少なくとも１つのボルト、ボルトに取り付けられるスプリング、および、スプリングに取り付けられるシールが、ジョーハウジングによって収容される。ジョー支持体は、バックアップゴムなどの圧縮要素を更に備える。一実施形態では、バックアップゴムが尖端側面を伴うクラウン形状を有する。
【０００６】
[0005]他の実施形態において、本開示は、ジョーハウジングと、一連の２つ以上の上側ボルト、上側ボルトのそれぞれに取り付けられるスプリング、および、スプリングのそれぞれに取り付けられ、ジョーハウジングによって収容されるシールとを備えるジョー支持体を提供する。ジョー支持体は、ジョーハウジングに取り付けられる一連の中央のバックアップゴムを備える。また、ジョー支持体は、一連の２つ以上の下側ボルト、下側ボルトのそれぞれに取り付けられるスプリング、および、スプリングのそれぞれに取り付けられて、ジョーハウジングによって収容されるシールとを備える。
【０００７】
[0006]別の実施形態において、本開示は、i）第１のジョーハウジングと、少なくとも１つのボルト、ボルトに取り付けられるスプリング、および、スプリングに取り付けられて、第１のジョーハウジングによって収容されるシールと、第２のジョーハウジングに取り付けられるバックアップゴムとを有する第１のジョー支持体と、ii）第２のジョーハウジングと、第２のジョーハウジングに取り付けられる加熱要素とを有する第２のジョー支持体とを備える密封ジョーを提供する。
【０００８】
[0007]更に他の実施形態において、本開示は、附属類加熱ブロックと、少なくとも１つの温度プローブと、温度プローブを固定するように構成されて配置される固定具とを備える附属類加熱アセンブリを提供する。温度プローブを温度プローブハウジング内に収容することができる。附属類加熱ブロックは少なくとも１つの加熱カートリッジを更に有することができる。一実施形態において、附属類加熱ブロックは目玉（ｂｕｌｌｓ−ｅｙｅ）の形状を伴う延出部を有する。
【０００９】
[0008]他の実施形態において、本開示は、少なくとも１つのブッシュを有する取り付けプレートと、取り付けプレートに取り付けられる取り付けスペーサブロックと、取り付けスペーサブロックに取り付けられる附属類取り付け装置（ａｐｐｌｉｃａｔｏｒ）とを備える附属類取り付けステーションを提供する。
【００１０】
[0009]更に他の実施形態において、本開示は、取り付けヘッドプレートと、取り付けヘッドプレートに取り付けられる取り付けヘッドと、取り付けヘッドに取り付けられる取り付けヘッドキャップとを備える附属類取り付け装置を提供する。取り付けヘッドプレートに真空チューブを取り付けることができる。取り付けヘッドに光ファイバ装置を取り付けることができる。
【００１１】
[0010]別の実施形態において、本開示は、フィルムを密封する方法を提供する。この実施形態において、この方法は、i）第１のジョーハウジングと、少なくとも１つのボルト、ボルトに取り付けられるスプリング、および、スプリングに取り付けられ、第１のジョーハウジングによって収容されるシールと、第１のジョーハウジングに取り付けられるバックアップゴムとを有する第１のジョー支持体と、ii）第２のジョーハウジングと、第２のジョーハウジングに取り付けられる加熱要素とを有する第２のジョー支持体とを備える密封ジョーを準備する（ｐｒｏｖｉｄｅ）ステップを含む。少なくとも２つのフィルムが第１のジョー支持体と第２のジョー支持体との間に挿入される。第１のジョー支持体は、第２のジョー支持体に押し付けられて、それにより、２つのフィルム間にシールが形成される。２つのフィルムを互いに溶着してシームまたはシールを形成するために第２のジョー支持体が加熱要素によって十分に加熱される。
【００１２】
[0011]更に他の実施形態において、本開示は、附属類をフィルムに取り付ける（ａｐｐｌｙ）方法を提供する。この方法は、少なくとも１つのブッシュを伴う取り付けプレートと、取り付けプレートに取り付けられる取り付けスペーサブロックと、取り付けスペーサブロックに取り付けられる附属類取り付け装置とを備え、附属類取り付け装置が附属類を取る、附属類取り付けステーションを準備するステップを含む。また、この方法は、附属類加熱ブロックと、少なくとも１つの温度プローブと、温度プローブを固定するように構成されて配置される固定具とを備える附属類加熱アセンブリを準備するステップを更に含む。フィルムが附属類取り付けステーションと附属類加熱アセンブリとの間に配置される。附属類取り付け装置によって附属類がフィルムおよび附属類加熱ブロックに押し込まれる。附属類加熱ブロックは、附属類がフィルムに取り付け固定されるように加熱される。
【００１３】
[0013]本開示の利点は、容器を形成し、充填し、密封するための改良された装置を提供することである。
[0014]本開示の他の利点は、容器の縁部（例えば、水平の縁部）をシールするための改良された装置を提供することである。
[0015]本開示の更なる他の利点は、附属類を容器上に配置するための改良された装置を提供することである。
[0016]本開示の更なる他の利点は、附属類を保管場所から附属類取り付けステーションへ搬送するための改良された装置を提供することである。
[0017]本開示の他の利点は、附属類を附属類インデクサに装填するための改良された装置を提供することである。
[0018]本明細書中に記載される更なる特徴および利点は以下の詳細な説明および図面から明らかになる。
【図面の簡単な説明】
【００１４】
【図１】本開示の一実施形態における密封ジョーの平面図を示している。
【図２Ａ】本開示の一実施形態における密封ジョーの異なる位置の側面図を示している。
【図２Ｂ】本開示の一実施形態における密封ジョーの異なる位置の側面図を示している。
【図２Ｃ】本開示の一実施形態における密封ジョーの異なる位置の側面図を示している。
【図３】本開示の一実施形態におけるバックアップゴムの側面図を示している。
【図４Ａ】本開示の一実施形態における上側固定ブラケットの平面図を示している。
【図４Ｂ】本開示の一実施形態における下側固定ブラケットの平面図を示している。
【図４Ｃ】本開示の一実施形態における固定ブラケット・附属類加熱ブロックアセンブリの側面図を示している。
【図４Ｄ】本開示の一実施形態における固定ブラケット・附属類加熱ブロックアセンブリの背面図を示している。
【図５】本開示の一実施形態における附属類加熱ブロックの正面斜視図を示している。
【図６】本開示の一実施形態における温度プローブまたは熱電対の側面図を示している。
【図７】本開示の一実施形態における附属類移送フレームワークの正面斜視図を示している。
【図８】本開示の一実施形態における附属類取り付けステーションの分解正面斜視図を示している。
【図９】本開示の一実施形態における取り付けヘッドプレートアセンブリの正面斜視図を示している。
【図１０】本開示の一実施形態における附属類インデクサの分解正面斜視図を示している。
【図１１】本開示の一実施形態における取上ピンニップルおよび真空ノズルアセンブリの正面斜視図を示している。
【図１２Ａ】本開示の一実施形態における取り付け支持体の正面斜視図を示している。
【図１２Ｂ】本開示の一実施形態におけるブラケットの正面斜視図を示している。
【図１３】本開示の一実施形態における供給コンベアシステムおよびインデックス装置の分解正面斜視図を示している。
【図１４】本開示の他の実施形態における附属類レールアセンブリの細部の正面斜視図を示している。
【発明を実施するための形態】
【００１５】
[0037]本開示は、製袋充填機、および製袋充填機を構成する個別の構成要素に関する。別の実施形態において、製袋充填機は、附属類取り付けステーションと、附属類取り付け装置と、附属類加熱アセンブリと、附属類附属類を附属類移送して容器に取り付けるように構成されて配置される附属類密封ジョーとを含んでもよい。附属類附属類本明細書中に記載される製袋充填機の個々の構成要素は、パウチを形成するプラスチックフィルムへ附属類を取り付けるように振動トラックから確実に移送するために、従来の製袋充填機よりも簡略化されて合理化される。そのため、パウチに対する附属類のシールに関して、信頼性および品質が向上する。
【００１６】
[0038]ここで、図面、特に図１および図２Ａ〜図２Ｃを参照すると、本開示の一実施形態における密封ジョー１０が示されている。密封ジョー１０は第１のジョー支持体２０と第２のジョー支持体３０とを含む。第１のジョー支持体２０および第２のジョー支持体３０は、動作中に互いに向けて移動するとともに互いから離れて移動するように構成されて配置される。第１のジョー支持体２０および第２のジョー支持体３０は、パウチまたはバッグに側面シーム（例えば、シール）を形成するために使用できる。密封ジョー１０は、十分に厚いシール面を形成することができ、押付けられるとき（例えば、自動位置合わせ時）に、より整然とした直線シールまたは水平シールを形成する制限された動きを有する。
【００１７】
[0039]第１のジョー支持体２０は、１つ以上の段付きボルト２４（例えば、上側ボルトおよび下側ボルト）を収容する第１のジョーハウジング２２を含み、この場合、各段付きボルト２４が１つのスプリング２６に取り付けられる。各スプリング２６はシール２８に取り付けられる。シール２８は、例えば、シリコンゴムから形成されるクワッドリングであってもよい。シール２８は、第１のジョーハウジング２２の全長に沿って延びることができる。図２Ａ〜図２Ｃから分かるように、第１のジョー支持体２０は第２のジョー支持体３０へ向けて移動する。これにより、第１のジョーハウジング２２内に位置するシール２８が第２のジョー支持体３０の端部と接触できる。シール２８は、シール２８が第１のジョーハウジング２２へ後退するようにスプリング２６を圧縮する。その際、シール２８と第２のジョー支持体３０の端部との間に緊密なシールを形成することができる。
【００１８】
[0040]第１のジョーハウジング２２は、第１のジョーハウジング２２の端部またはその近傍に構成されて配置される圧縮要素４４も収容する。例えば、圧縮要素４４を第１のジョーハウジング２２の通路またはホルダ５２内に位置させることができる。圧縮要素４４は、例えばゴムまたは著しい歪曲を伴わずに高熱に晒すことができる他の適切な高分子材料などの任意の適した材料であってもよい。
【００１９】
[0041]図３に示される実施形態において、圧縮要素４４は、丸みを帯びた冠状部４６と平坦側面４８とを有するバックアップゴムである。圧縮要素４４は、圧縮要素４４が通路５２内にしっかりと留まるように１つ以上のキャッチ５０を更に有する。圧縮要素４４は、フィルムのシートを分離してパウチまたは容器の縁部を形成するために使用される、露出面または露出側面５８上の突端または尖端縁部５４も含む。
【００２０】
[0042]第２のジョー支持体３０は第２のジョーハウジング３２を含む。第２のジョーハウジング３２は加熱要素４０も含み、加熱要素４０が位置する場所で第２のジョーハウジング３２の端部が加熱される。加熱要素４０は、第２のジョーハウジング３２の端部を任意の適した温度まで加熱するべく手動で、あるいは自動で制御することができる。
【００２１】
[0043]第１のジョー支持体２０および第２のジョー支持体３０の一方または両方は、例えば２つ以上のフィルムシートが第１のジョー支持体２０と第２のジョー支持体３０との間に配置された状態で、これらのフィルムシートを一緒に加熱圧縮してシーム（例えば、シール）を形成するために互いに向かって移動できる。シームは、フィルムによって形成され、かつ容器で液体を保持するのに十分な強度を持つ、容器の側縁部を形成できる。別の実施形態では、一方のジョー支持体が静止したまま、他方のジョー支持体を移動することができる。
【００２２】
[0044]使用できる実施形態では、別々の２つのフィルムシートが第１のジョー支持体２０と第２のジョー支持体３０との間に配置される。第１のジョー支持体２０および第２のジョー支持体３０が互いに向けて移動し、それにより、シール２８と第２のジョー支持体３０の端部との間でフィルムシートが圧縮される。第２のジョーハウジング３２に押し付く上側および下側シール２８は、圧縮要素４４がフィルムシートを加熱要素４０に押し込む間、パウチまたはバッグのフィルムシートを所望の位置に保持する。より具体的には、圧力によってシール２８がスプリング２６をボルト２４に抗して圧縮するため、圧縮要素４４がフィルムシートと接触してシートを第２のジョーハウジング３２の加熱要素４０に押し付ける。加熱要素４０は、２つのフィルムシートを新たに形成されるシームで互いに取り外し不能に、あるいは取り外し可能に取り付けるべく十分に加熱される。
【００２３】
[0045]なお、圧縮要素４４の露出側面５８は、フィルムシートと接触する面であり、フィルムシートを加熱要素４０に押し込む。その際、露出側面５８は、シールされたフィルムの縁部に沿ってほぼ真っ直ぐなシールシームを形成するのに役立つ。圧縮要素４４の縁部から尖端縁部５４までの幅は、フィルムの縁部に形成されるシームの厚さに相当することができ、任意の適した幅となり得る。圧縮要素４４の尖端縁部５４は、フィルムシートを切断し、シームを有する分離された容器縁部を形成するのに役立つ。
【００２４】
[0046]ここで、図４Ａ〜図４Ｄおよび図５を参照すると、本開示の一実施形態における附属類加熱ブロックアセンブリ１００が示されている。附属類加熱ブロックアセンブリ１００は、１つ以上の加熱カートリッジ（図示せず）を収容するための１つ以上の通路１１０を形成する附属類加熱ブロック１０２を含む。加熱カートリッジは、附属類加熱ブロック１００を所望の温度まで加熱することができる任意の適した加熱装置であってもよい。また、附属類加熱ブロック１０２は、１つ以上の温度プローブまたは熱電対を収容するための１つ以上の通路１２０も備える。図６は適した温度プローブまたは熱電対１５０を示している。
【００２５】
[0047]図４Ｃ〜図４Ｄに示されるように、１つ以上の温度プローブを温度プローブハウジング１２２内に収容して温度プローブを保護することができる。温度プローブハウジング１２２は、上側固定ブラケット１３０および下側固定ブラケット１４０によって所定の場所に位置させることができる。上側固定ブラケット１３０は、下側固定ブラケット１４０と共に、温度プローブまたは温度プローブハウジング１２２を静止状態に保つために使用できる。
【００２６】
[0048]図４Ｃ〜図４Ｄから分かるように、下側固定ブラケット１３０は、ボルト１４２などの任意の適した締結機構を使用して附属類加熱ブロックアセンブリ１００に取り付けることができる。上側固定ブラケット１３０は、温度プローブハウジング１２２の上方に位置させて、ボルト１３６などの任意の適した締結機構を使用して附属類加熱ブロックアセンブリ１００に取り付けることができる。例えば、上側固定ブラケット１３０および下側固定ブラケット１４０は、固定ブラケット１３０および１４０を附属類加熱ブロックアセンブリ１００に強固に取り付けるためのボルトのために１つ以上の通路１３２を形成できる。また、上側固定ブラケット１３０および下側固定ブラケット１４０は、温度プローブが附属類加熱ブロック１０２内に配置されるときに上側固定ブラケット１３０および下側固定ブラケット１４０の近傍に温度プローブが取り付けられるように円弧状部１３４も形成できる。
【００２７】
[0049]従来の製袋充填装置における熱電対配線の不具合は、一般に、６時間以上の中断時間をもたらす。附属類加熱ブロック１００および温度プローブおよび加熱カートリッジと併せて、上側固定ブラケット１３０および下側固定ブラケット１４０を使用すると、従来の製袋充填装置における標準的な熱電対配線の断線または不具合を減少させることが分かってきた。このことは、運転コストを節約するとともに、熱電対の修理に費やされる中断時間量を減らすことにより製袋充填装置の運転効率を高める。
【００２８】
[0050]図５に更に詳しく示されるように、附属類加熱ブロック１０２は延出部１６０を含むことができる。延出部１６０はリングまたは目玉の形状を成すことができる。例えば、リングの中心を凹状にすることができる。附属類加熱ブロック１０２の延出部１６０は、附属類配置動作中にフィルムの側面と接触する。
【００２９】
[0051]図７〜図１４は附属類移送アセンブリの様々な構成要素を示している。図７は、本開示の一実施形態における図８に示される附属類取り付けステーション３００のための附属類移送フレームワークまたはハウジング２０２を示している。附属類取り付けステーションは、取り付けプレート３１０と、取り付けプレート３１０に取り付けられる１つ以上のブッシュ３１２とを含む。ブッシュ３１２は、取り付けプレート３１０が附属類移送フレームワークまたはハウジング２０２にしっかりと強固に取り付けられたままとなるように使用できる。例えば、ハウジング２０２からの１つ以上の支柱２０４を取り付けプレート３１０の対応する穴３０４を貫通してブッシュ３１２内に位置させることができる。ブッシュ３１２は、１つ以上のボルト３５０などの任意の適した締結機構を使用して取り付けプレート３１０に取り付けることができる。
【００３０】
[0052]附属類取り付け装置３２０を取り付けプレート３１０上に強固に支持するために取り付けスペーサブロック３１４が使用される。附属類取り付け装置３２０は、１つ以上のボルト３４０などの任意の適した締結機構を使用して取り付けスペーサブロック３１４に取り付けることができる。附属類取り付け装置３２０は取り付けヘッドプレート３２２を含む。取り付けヘッドプレート３２２は、ピンまたはねじ３４２などの任意の適した締結機構を使用して附属類取り付け装置３２０に取り付けることができる。
【００３１】
[0053]図８〜図９に更に示されるように、取り付けヘッド３２４が取り付けヘッドプレート３２２に取り付けられる。取り付けヘッドキャップ３２６が取り付けヘッド３２４に取り付けられる。取り付けヘッドワッシャ３２８は取り付けヘッドキャップ３２６と取り付けヘッド３２０との間に挿入されて気密シールを形成できる。
【００３２】
[0054]取り付けヘッドプレート３２２は、真空アセンブリ（図示せず）の一部である真空チューブに取り付けることができる通路３３２を形成できる。取り付けヘッドキャップ３２６は、真空アセンブリによって取り付けヘッド３２４に吸引される附属類の端部と適合するように構成して配置することができる。また、取り付けヘッド３２４は、附属類が取り付けヘッド３２４に取り付けられているかどうかを検出するために使用される光ファイバ装置３３０に更に取り付けることができる。
【００３３】
[0055]ここで、図１０を参照すると、本開示の一実施形態における附属類インデクサ４００が示されている。附属類インデクサ４００は、附属類４０２を最初の附属類ホルダまたは格納装置から附属類取り付けステーション３００へ搬送する。附属類インデクサ４００は垂直位置決めスタンド４１０を含む。垂直位置決めスタンド４１０は、附属類インデクサ４００のための頑丈で安定した構造的支持を提供するために任意の適した配置を有することができる。
【００３４】
[0056]附属類水平位置決めアセンブリ４５０が、垂直摺動アセンブリ４３０を介して空圧式垂直案内アクチュエータ装置４２０に摺動可能に取り付けられる。附属類水平位置決めアセンブリ４５０は、垂直摺動アセンブリ４３０の動きに対して垂直な方向で附属類を軸線方向に移動させるように構成されて配置される。
【００３５】
[0057]空圧式垂直案内アクチュエータ装置４２０は垂直位置決めスタンド４１０に取り付けられる。空圧式垂直案内アクチュエータ装置４２０は、１つ以上のボルトまたはピン４２２などの任意の適した締結機構を使用して垂直位置決めスタンド４１０に取り付けることができる。垂直摺動アセンブリ４３０は、空圧式垂直案内アクチュエータ装置４２０に摺動可能に取り付けられるベースまたはマウントを備える。垂直摺動アセンブリ４３０は、例えばロッドレス空圧式シリンダまたはアクチュエータなどの任意の適した機構によって附属類水平位置決めアセンブリ４５０を空圧式垂直案内アクチュエータ装置４２０に沿って上下に移動させるように構成されて配置される。
【００３６】
[0058]附属類水平位置決めアセンブリ４５０は、取り付け支持体４４０（図１２Ａ参照）によって垂直摺動アセンブリ４３０に取り付けることができる。附属類水平位置決めアセンブリ４５０は、取り付け支持体４４０に取り付けられる空圧式案内アクチュエータアセンブリ４５２を含む。空圧式シリンダまたはアクチュエータによって移動する空圧式案内アクチュエータアセンブリ４５２にはブラケット４５４（図１２Ｂ参照）が取り付けられる。ブラケット４５４は、１つ以上のボルトまたはピン４５６などの任意の適した締結機構を使用して空圧式案内アクチュエータアセンブリ４５２に取り付けられる。ブラケット４５４の一端には真空ノズル４６２が取り付けられる。
【００３７】
[0059]図１０〜図１１に示されるように、取上ピンニップル４６０は真空ノズル４６２に取り付けられる。真空ノズル４６２は、取上ピンニップル４６０を通じて真空を形成するように構成されて配置される。取上ピンニップル４６０は、附属類４０２が附属類格納場所から附属類取り付けステーション３００まで搬送されるときに、真空ノズル４６２と共に、附属類４０２を取り上げて取上ピンニップル４６０の一端上に保持する。
【００３８】
[0060]前述したように、任意の適した装着アセンブリを使用して、垂直位置決めスタンド４１０を含む場所に附属類インデクサ４００を保持することができる。装着アセンブリは、本開示の一実施形態における附属類インデクサのための強固な基盤を与えるのに適する任意の形態を含むことができる。
【００３９】
[0061]ここで、図１３〜図１４を参照すると、本開示の一実施形態における供給コンベアシステム６００（例えば、振動式のシステム）が示されている。供給コンベアシステム６００は支持フレーム６１０を含む。附属類レールアセンブリ６２０が、１つ以上のボルトまたはピン６６０などの任意の適した締結機構を使用して支持フレーム６１０に取り付けられる。附属類レールアセンブリ６２０は、例えば、図１４に示されるように附属類レールアセンブリの長手方向に沿って列を成す、１つ以上の附属類６３２を保持するように構成されて配置される、第１の長尺レール６２２と、第２の長尺レール６２４と、第３の長尺レール６２６と、第４の長尺レール６２８と、レール端ガイド６３０とから作られることができる。
【００４０】
[0062]また、供給コンベアシステム６００は、支持フレーム６１０に取り付けられる附属類インデックスモジュール６５０も含む。附属類インデックスモジュール６５０は、空圧式案内アクチュエータ装着プレート６５２によって支持フレーム６１０に取り付けることができる。また、附属類インデックスモジュール６５０は、レール端ガイド６３０で、あるいはその近傍で附属類レールアセンブリ６２０の端部にも取り付けられる。
【００４１】
[0063]附属類インデックスモジュール６５０は、附属類を部分的に収容するための湾曲部６５８を形成するアクチュエータプレート６５４を含む。附属類インデックスモジュール６５０は、アクチュエータプレート６５４を上下に移動させ、あるいは附属類インデックスモジュール６５０へ向かって、かつ附属類インデックスモジュール６５０から離れるように移動させるように構成されて配置される空圧式アクチュエータ６５６を含む。この場合、附属類インデックスモジュール６５０により、附属類を附属類インデクサ４００の真空ノズル４６２および取上ピンニップル４６０に晒して、これらにより附属類を拾い上げることができる。
【００４２】
[0064]一実施形態において、附属類レールアセンブリ６２０は、附属類レールアセンブリ６２０内に収容される一連の附属類６３２が、支持フレーム６１０に取り付けられる端部からレール端ガイド６３０を有する端部へ重力によって移動できるようにする態様で、支持フレーム６１０から角度を成して構成されて配置される。他の実施形態において、附属類レールアセンブリ６２０は、空気を附属類６３２へ放出して附属類６３２をレール端ガイド６３０へ向けて押し出すのを助ける、空気またはガス出口６３４を備える。
【００４３】
[0065]動作中、空圧式アクチュエータ６５６がアクチュエータプレート６５４を上方へ移動させ、それにより、湾曲部６５８が一連の附属類６３２の経路に直接に入る。１つの附属類が湾曲部６５８内へ滑り込む。その後、空圧式アクチュエータ６５６がアクチュエータプレート６５４を下方へ移動させ、それにより、附属類６３２が附属類インデクサ４００の取上ピンニップル４６０と位置合わせされる。その後、附属類インデクサ４００は、附属類を容器上に配置できる附属類取り付けステーション３００へ附属類６３２を搬送する。
【００４４】
[0066]言うまでもなく、本明細書中に記載される現時点で好適な実施形態に対する様々な変更および改良が当業者には明らかである。そのような変更および改良は、この主題の思想および範囲から逸脱することなく、かつその意図される利点を損なうことなく成すことができる。したがって、そのような変更および改良は添付の請求項の中に含まれ得るものである。
【図１】
0006026493.tif 000002
【図２】
0006026493.tif 000003
【図３】
0006026493.tif 000004
【図４】
0006026493.tif 000005
【図５】
0006026493.tif 000006
【図６】
0006026493.tif 000007
【図７】
0006026493.tif 000008
【図８】
0006026493.tif 000009
【図９】
0006026493.tif 000010
【図１０】
0006026493.tif 000011
【図１１】
0006026493.tif 000012
【図１２】
0006026493.tif 000013
【図１３】
0006026493.tif 000014
【図１４】
0006026493.tif 000015